(57)【要約】【課題】トランザクション識別子を即座に再利用しないように制御することが可能な通信システムを提供する。【解決手段】開始ノード（100）と、対向ノード（200）と、を有して構成する通信システムであり、開始ノード（100）は、トランザクションを開始する場合に、トランザクション識別子を捕捉し、トランザクション開始状態に遷移し、TCAP信号を対向ノード（200）に送信する。そして、開始ノード（100）は、トランザクションを終了する場合に、トランザクション開始状態からトランザクション終了状態に遷移する。そして、開始ノード（100）は、TCAP信号に対する応答信号を受信した場合に、トランザクション終了状態からトランザクション空き状態に遷移し、トランザクション識別子を解放する。【選択図】図１
2009169509.tif 000002
【特許請求の範囲】
【請求項１】
トランザクションを開始する場合に、トランザクション識別子を捕捉し、トランザクション開始状態に遷移し、TCAP信号を対向ノードに送信する手段と、
前記トランザクションを終了する場合に、前記トランザクション開始状態からトランザクション終了状態に遷移する手段と、
前記TCAP信号に対する応答信号を受信した場合に、前記トランザクション終了状態からトランザクション空き状態に遷移し、前記トランザクション識別子を解放する手段と、
を有することを特徴とするノード。
【請求項２】
前記トランザクションを終了する場合に、
前記ノードのトランザクション状態がトランザクション開始状態の場合には、トランザクション開始状態からトランザクション終了状態に遷移し、
前記ノードのトランザクション状態がトランザクション開始状態以外の場合には、トランザクション空き状態に遷移し、前記トランザクション識別子を解放することを特徴とする請求項１記載のノード。
【請求項３】
前記応答信号を受信した場合に、
前記ノードのトランザクション状態がトランザクション終了状態の場合には、トランザクション終了状態からトランザクション空き状態に遷移し、前記トランザクション識別子を解放し、
前記ノードのトランザクション状態がトランザクション終了状態以外の場合には、前記応答信号に応じた状態に遷移することを特徴とする請求項１または２記載のノード。
【請求項４】
前記応答信号を所定の時間が経過しても受信できない場合に、トランザクション状態を、トランザクション空き状態に遷移し、前記トランザクション識別子を解放することを特徴とする請求項１から３の何れか１項に記載のノード。
【請求項５】
前記所定の時間は、トランザクション開始状態に遷移してから計時した時間であることを特徴とする請求項４記載のノード。
【請求項６】
開始ノードと、対向ノードと、を有して構成する通信システムであって、
前記開始ノードは、
トランザクションを開始する場合に、トランザクション識別子を捕捉し、トランザクション開始状態に遷移し、TCAP信号を対向ノードに送信する手段と、
前記トランザクションを終了する場合に、前記トランザクション開始状態からトランザクション終了状態に遷移する手段と、
前記TCAP信号に対する応答信号を受信した場合に、前記トランザクション終了状態からトランザクション空き状態に遷移し、前記トランザクション識別子を解放する手段と、
を有することを特徴とする通信システム。
【請求項７】
トランザクションを開始する場合に、トランザクション識別子を捕捉し、トランザクション開始状態に遷移し、TCAP信号を対向ノードに送信する工程と、
前記トランザクションを終了する場合に、前記トランザクション開始状態からトランザクション終了状態に遷移する工程と、
前記TCAP信号に対する応答信号を受信した場合に、前記トランザクション終了状態からトランザクション空き状態に遷移し、前記トランザクション識別子を解放する工程と、を有することを特徴とする制御方法。
【請求項８】
トランザクションを開始する場合に、トランザクション識別子を捕捉し、トランザクション開始状態に遷移し、TCAP信号を対向ノードに送信する処理と、
前記トランザクションを終了する場合に、前記トランザクション開始状態からトランザクション終了状態に遷移する処理と、
前記TCAP信号に対する応答信号を受信した場合に、前記トランザクション終了状態からトランザクション空き状態に遷移し、前記トランザクション識別子を解放する処理と、をコンピュータに実行させることを特徴とする制御プログラム。
【発明の詳細な説明】
【技術分野】
【０００１】
本発明は、トランザクション識別子を即座に再利用しないように制御するノード、通信システム、制御方法及び制御プログラムに関するものである。
【背景技術】
【０００２】
図７に本発明と関連する通信システムのシステム構成例を示す。図７に示す通信システムは、トランザクション開始ノード（100'）と、トランザクション対向ノード（200'）と、がネットワーク（300'）を介して接続し、開始ノード（100'）と対向ノード（200'）との間でトランザクション信号の送受信を行うことになる。
【０００３】
なお、図７に示す通信システムにおいて、開始ノード（100'）があるユニークなトランザクション識別子を利用し、トランザクションの開始信号、又は、トランザクションの継続信号を対向ノード（200'）に送信した後に、開始ノード（100'）が何らかの要因でトランザクションを解放したと仮定する。この場合、開始ノード（100'）は、トランザクションを解放した旨を対向ノード（200'）に通知せず、上記処理で利用したトランザクション識別子を解放し、トランザクションを終了することになる。
【０００４】
なお、開始ノード（100'）は、上記のトランザクション識別子を解放した状態で新たなトランザクションを開始した場合には、その解放したトランザクション識別子を即座に再利用し、トランザクションを開始する可能性がある。
【０００５】
しかし、この場合、上述したトランザクションの開始信号、又は、トランザクション継続信号に対する応答信号を開始ノード（100'）が遅延して受信すると、その応答信号は、開始ノード（100'）で終了済みのトランザクションに対する応答信号にも関わらず、新たに開始したトランザクションに捕捉したトランザクション識別子と一致することになる。その結果、開始ノード（100'）は、新たに開始したトランザクションに対する応答信号と見なして正常に受信してしまうことになる。
【０００６】
このため、開始ノード（100'）がトランザクション識別子を即座に再利用しないように制御し、終了済みのトランザクションに対する応答信号を遅延して開始ノード（100'）が受信した場合でも、その応答信号に対するトランザクション識別子を正しく認識することが可能な仕組みの開発が必要視されることになる。
【０００７】
なお、本発明より先に出願された技術文献として、外部機器からのコマンド応答受信時に、そのコマンド応答に対応するコマンド送信要求を行ったアプリケーションプログラムに対して、確実に正しい結果通知を行うことができる技術について開示された文献がある（例えば、特許文献１参照）。
【０００８】
上記特許文献１では、コマンド送信管理部304が、アプリケーションプログラム305からのコマンド送信要求に対して、既にコマンド送信要求を受け付けているコマンドとコマンド種別が異なり、コマンド応答の内容が同一となる可能性がある場合は、そのコマンド送信要求の受け付けを拒否することにしている。
【０００９】
また、トランザクション識別子の構成要素にプロセッサ番号を含ませることで、プロセッサを容易に識別することを可能とする技術について開示された文献がある（例えば、特許文献２参照）。
【００１０】
また、複数の擬似対話開始要求を１つの対話開始要求に束ねることで、送信メッセージの回数を減少させ、TCAPプロトコルを用いた通信装置の性能を向上させる技術について開示された文献がある（例えば、特許文献３参照）。
【特許文献１】特開２００３−１９８５５０号公報
【特許文献２】特開平４−５１７９５号公報
【特許文献３】特開平１１−４１３２０号公報
【発明の開示】
【発明が解決しようとする課題】
【００１１】
なお、上記特許文献１は、既にコマンド送信要求を受け付けているコマンドとコマンド種別が異なり、コマンド応答の内容が同一となる可能性がある場合は、そのコマンド送信要求の受け付けを拒否することにしている。
【００１２】
このため、上記特許文献１には、開始ノード（100'）がトランザクション識別子を即座に再利用しないように制御し、終了済みのトランザクションに対する応答信号を遅延して受信した場合でも、その応答信号に対するトランザクション識別子を正しく認識できるようにする点については何ら記載もその必用性についても示唆されていない。
【００１３】
また、上記特許文献２、３には、TCPAプロトコルを利用した技術について開示されているが、上記特許文献１と同様に、開始ノード（100'）がトランザクション識別子を即座に再利用しないように制御する点については何ら記載もその必用性についても示唆されていない。
【００１４】
本発明は、上記事情に鑑みてなされたものであり、上述した課題である、トランザクション識別子を即座に再利用しないように制御することが可能なノード、通信システム、制御方法及び制御プログラムを提供することを目的とするものである。
【課題を解決するための手段】
【００１５】
かかる目的を達成するために、本発明は、以下の特徴を有することとする。
【００１６】
＜ノード＞
本発明にかかるノードは、
トランザクションを開始する場合に、トランザクション識別子を捕捉し、トランザクション開始状態に遷移し、TCAP信号を対向ノードに送信する手段と、
前記トランザクションを終了する場合に、前記トランザクション開始状態からトランザクション終了状態に遷移する手段と、
前記TCAP信号に対する応答信号を受信した場合に、前記トランザクション終了状態からトランザクション空き状態に遷移し、前記トランザクション識別子を解放する手段と、
を有することを特徴とする。
【００１７】
＜通信システム＞
また、本発明にかかる通信システムは、
開始ノードと、対向ノードと、を有して構成する通信システムであって、
前記開始ノードは、
トランザクションを開始する場合に、トランザクション識別子を捕捉し、トランザクション開始状態に遷移し、TCAP信号を対向ノードに送信する手段と、
前記トランザクションを終了する場合に、前記トランザクション開始状態からトランザクション終了状態に遷移する手段と、
前記TCAP信号に対する応答信号を受信した場合に、前記トランザクション終了状態からトランザクション空き状態に遷移し、前記トランザクション識別子を解放する手段と、
を有することを特徴とする。
【００１８】
＜制御方法＞
また、本発明にかかる制御方法は、
トランザクションを開始する場合に、トランザクション識別子を捕捉し、トランザクション開始状態に遷移し、TCAP信号を対向ノードに送信する工程と、
前記トランザクションを終了する場合に、前記トランザクション開始状態からトランザクション終了状態に遷移する工程と、
前記TCAP信号に対する応答信号を受信した場合に、前記トランザクション終了状態からトランザクション空き状態に遷移し、前記トランザクション識別子を解放する工程と、を有することを特徴とする。
【００１９】
＜制御プログラム＞
また、本発明にかかる制御プログラムは、
トランザクションを開始する場合に、トランザクション識別子を捕捉し、トランザクション開始状態に遷移し、TCAP信号を対向ノードに送信する処理と、
前記トランザクションを終了する場合に、前記トランザクション開始状態からトランザクション終了状態に遷移する処理と、
前記TCAP信号に対する応答信号を受信した場合に、前記トランザクション終了状態からトランザクション空き状態に遷移し、前記トランザクション識別子を解放する処理と、をコンピュータに実行させることを特徴とする。
【発明の効果】
【００２０】
本発明によれば、トランザクション識別子を即座に再利用しないように制御することが可能となる。
【発明を実施するための最良の形態】
【００２１】
まず、図１を参照しながら、本実施形態の通信システムの概要について説明する。
【００２２】
本実施形態における通信システムは、開始ノード（100）と、対向ノード（200）と、を有して構成する通信システムである。
【００２３】
本実施形態における開始ノード（100）は、トランザクションを開始する場合に、トランザクション識別子を捕捉し、トランザクション開始状態に遷移し、TCAP信号を対向ノード（200）に送信する。そして、開始ノード（100）は、トランザクションを終了する場合に、トランザクション開始状態からトランザクション終了状態に遷移する。そして、開始ノード（100）は、TCAP信号に対する応答信号を受信した場合に、トランザクション終了状態からトランザクション空き状態に遷移し、トランザクション識別子を解放する。
【００２４】
これにより、開始ノード（100）は、トランザクションを終了する場合に、トランザクション開始状態からトランザクション終了状態に遷移し、トランザクション識別子を解放せず、TCAP信号に対する応答信号を受信した場合に、トランザクション終了状態からトランザクション空き状態に遷移し、トランザクション識別子を解放することになる。このため、開始ノード（100）は、トランザクション識別子を即座に再利用しないように制御することが可能となる。その結果、終了済みのトランザクションに対する応答信号を遅延して開始ノード（100）が受信した場合でも、その応答信号に対するトランザクション識別子を正しく認識することが可能となる。以下、添付図面を参照しながら、本実施形態の通信システムについて詳細に説明する。
【００２５】
＜通信システムのシステム構成＞
まず、図１を参照しながら、本実施形態の通信システムのシステム構成について説明する。
【００２６】
本実施形態における通信システムは、トランザクション開始ノード（100）と、トランザクション対向ノード（200）と、がネットワーク（300）を介して接続し、開始ノード（100）と対向ノード（200）との間でトランザクション信号の送受信を行うことになる。なお、ネットワーク（300）は、開始ノード（100）と、対向ノード（200）と、の間で情報の送受信を行うことが可能であれば、あらゆる通信形態が適用可能である。
【００２７】
＜開始ノード；100の内部構成＞
次に、図２を参照しながら、本実施形態の開始ノード（100）の内部構成について説明する。
【００２８】
本実施形態における開始ノード（100）は、上位APL部（1）と、TCAPユーザ部（2）と、TCAP部（3）と、を有して構成している。なお、TCAPユーザ部（2）は、APLデータ送受信制御部（21）と、トランザクション状態制御部（22）と、TCAP信号制御部（23）と、を有して構成している。
【００２９】
APLデータ送受信制御部（21）は、APLデータの送受信を行うものである。詳細には、APLデータ送受信制御部（21）は、上位APL部（1）からAPLデータ送信要求を受信した場合に、TCAP信号に変換し、TCAP信号送信要求をTCAP信号制御部（23）に送信する。また、APLデータ送受信制御部（21）は、TCAP信号制御部（23）からAPLデータ送信要求を受信した場合に、上位APL部（1）に対し、APLデータの送信処理を行う。また、APLデータ送受信制御部（21）は、トランザクションの状態遷移要求をトランザクション状態制御部（22）に送信する。
【００３０】
トランザクション状態制御部（22）は、トランザクションの開始から終了までのトランザクションの状態を制御するものである。詳細には、トランザクション状態制御部（22）は、トランザクションを開始する際に、TCAP部（3）に対し、トランザクション識別子の捕捉要求を行い、該当トランザクションにトランザクション識別子を付与し、トランザクション状態を、トランザクション開始（応答待ち）状態に遷移する。また、トランザクション状態制御部（22）は、トランザクションを終了する際に、TCAP部（3）に対し、トランザクション識別子の解放要求を行い、トランザクション状態を、トランザクション空き状態に遷移する。
【００３１】
TCAP信号制御部（23）は、TCAP信号を送受信するものである。詳細には、TCAP信号制御部（23）は、TCAP部（3）からTCAP信号を受信した場合に、APLデータに変換し、APLデータ送信要求をAPLデータ送受信制御部（21）に送信する。また、TCAP信号制御部（23）は、APLデータ送受信制御部（21）からTCAP信号送信要求を受信した場合に、TCAP部（3）に対し、TCAP信号の送信処理を行う。また、TCAP信号制御部（23）は、トランザクションの状態遷移要求をトランザクション状態制御部（22）に送信する。
【００３２】
＜通信システムにおける一連の処理動作＞
次に、図３〜図６を参照しながら、本実施形態の通信システムにおける一連の処理動作について説明する。なお、図３、図４は、本実施形態の通信システムにおける一連の処理動作例を示し、図５、図６は、トランザクション状態制御部（22）における処理動作例を示す。
【００３３】
＜ステップA1の工程＞
まず、図３、図４に示すステップA1の工程について説明する。
ステップA1は、TCAPユーザ部（2）が、上位APL部（1）からAPLデータ送信要求を受信した場合に、TCAP部（3）に対し、TCAP信号を送信する工程である。
【００３４】
APLデータ送受信制御部（21）は、APLデータ送信要求を受信した場合に（ステップA11）、トランザクションの状態遷移要求をトランザクション状態制御部（22）に送信する（ステップA12）。
【００３５】
トランザクション状態制御部（22）は、状態遷移要求を受信した場合に、TCAP部（3）に対し、トランザクション識別子の捕捉要求を行い（ステップA13）、トランザクション状態をトランザクション開始（応答待ち）状態に遷移する（ステップA14）。
【００３６】
また、APLデータ送受信制御部（21）は、TCAP信号送信要求をTCAP信号制御部（23）に送信し（ステップA15）、TCAP信号制御部（23）は、TCAP信号をTCAP部（3）を経由して対向ノード（200）に送信する（ステップA16）。
【００３７】
これにより、開始ノード（100）は、トランザクションを開始する場合に、一意のトランザクション識別子を取得し、トランザクション状態を、トランザクション開始（応答待ち）状態に遷移し、トランザクション識別子を付与したTCAP信号を対向ノード（200）に送信することが可能となる。
【００３８】
＜ステップB1の工程＞
次に、図３、図４に示すステップB1の工程について説明する。
ステップB1は、TCAPユーザ部（2）が、対向ノード（200）からTCAP応答信号を受信する前に、何らかの要因でトランザクションを終了する場合の工程である。なお、TCAP応答信号は、ステップA1の工程で、開始ノード（100）が対向ノード（200）に送信したTCAP信号に対する応答信号のことである。
【００３９】
APLデータ送受信制御部（21）は、APLデータ送信トランザクションの終了要求を受信した場合に（ステップB11）、トランザクションの状態遷移要求をトランザクション状態制御部（22）に送信する（ステップB12）。
【００４０】
トランザクション状態制御部（22）は、状態遷移要求を受信した場合に、図５に示す処理を行うことになる。
【００４１】
まず、トランザクション状態制御部（22）は、状態遷移要求（トランザクション終了）を受信した場合に（ステップB131）、トランザクション状態制御部（22）のトランザクション状態を参照し（ステップB132）、トランザクション状態が、対向ノード（200）からの応答待ち状態『トランザクション開始（応答待ち）状態』か否かを判定する（ステップB133）。トランザクション状態制御部（22）は、トランザクション開始（応答待ち）状態と判定した場合は（ステップB133／Yes）、トランザクション状態を、トランザクション終了（応答待ち）状態に遷移する（ステップB134）。
【００４２】
また、トランザクション状態制御部（22）は、トランザクション開始（応答待ち）状態以外と判定した場合は（ステップB133／No）、トランザクション状態を、トランザクション空き状態に遷移し（ステップB135）、TCAP部（3）に対し、トランザクション識別子の解放要求を行う（ステップB136）。
【００４３】
これにより、開始ノード（100）は、トランザクションを終了する場合に、トランザクション状態が、トランザクション開始（応答待ち）状態の場合には、トランザクション終了（応答待ち）状態に遷移し、そのトランザクション識別子を解放せず、そのままトランザクション識別子を保持することが可能となる。
【００４４】
＜ステップC1の工程＞
次に、図３に示すステップC1の工程について説明する。
ステップC1は、TCAPユーザ部（2）が、対向ノード（200）からTCAP応答信号を受信した場合の工程である。
【００４５】
TCAP信号制御部（23）は、TCAP部（3）からTCAP応答信号を受信した場合に（ステップC11）、トランザクションの状態遷移要求をトランザクション状態制御部（22）に送信する（ステップC12）。
【００４６】
トランザクション状態制御部（22）は、状態遷移要求を受信した場合に、図６に示す処理を行うことになる。
【００４７】
まず、トランザクション状態制御部（22）は、状態遷移要求（TCAP応答信号）を受信した場合に（ステップC131）、トランザクション状態制御部（22）のトランザクション状態を参照し（ステップC132）、トランザクション状態が、トランザクション終了（応答待ち）状態か否かを判定する（ステップC133）。トランザクション状態制御部（22）は、トランザクション終了（応答待ち）状態と判定した場合は（ステップC133／Yes）、トランザクション空き状態に遷移し（ステップC134）、TCAP部（3）に対し、トランザクション識別子の解放要求を行う（ステップC135）。
【００４８】
また、トランザクション状態制御部（22）は、トランザクション終了（応答待ち）状態でないと判定した場合は（ステップC133／No）、受信信号に応じた状態に遷移する（ステップC136）。なお、受信信号に応じた状態に遷移する場合には、その受信信号に含まれるメッセージを基に、そのメッセージに応じた状態に遷移することになる。
【００４９】
これにより、開始ノード（100）は、対向ノード（200）からTCAP応答信号を受信した場合に、開始ノード（100）のトランザクション状態が、トランザクション終了（応答待ち）状態の場合には、トランザクション空き状態に遷移し、トランザクション識別子を解放することが可能となる。
【００５０】
その結果、開始ノード（100）は、トランザクションを開始した後に、トランザクションを終了する場合には、開始ノード（100）のトランザクション状態を、トランザクション開始（応答待ち）状態からトランザクション終了（応答待ち）状態に遷移し、トランザクション識別子を解放せず、そのままトランザクション識別子を保持することになる。そして、対向ノード（200）からのTCAP応答信号を受信した後に、トランザクション識別子を解放することになる。従って、開始ノード（100）は、ネットワーク（300）上で遅延したTCAP応答信号を受信した場合でも、その受信したTCAP応答信号を基に、そのTCAP応答信号に対応するトランザクション識別子を解放することが可能となる。
【００５１】
＜ステップD１の工程＞
次に、図４に示すステップD１の工程について説明する。
ステップD1は、TCAPユーザ部（2）が、対向ノード（200）からTCAP応答信号を受信しない場合の工程である。
【００５２】
まず、トランザクション状態制御部（22）は、ステップA14において、開始ノード（100）のトランザクション状態を、トランザクション開始（応答待ち）状態に遷移した後に、タイマをカウントする。その後、トランザクション状態制御部（22）は、タイマが所定の値を経過した場合に、タイムアウトと判断し（ステップD11）、トランザクション状態を、トランザクション空き状態に遷移し（ステップD12）、TCAP部（3）に対し、トランザクション識別子の解放要求を行う（ステップD13）。
【００５３】
これにより、開始ノード（100）は、トランザクションを開始し、トランザクション開始（応答待ち）状態に遷移し、TCAP信号を対向ノード（200）に送信した後に、一定時間が経過してもその対向ノード（200）からTCAP応答信号を受信できない場合には、トランザクション状態を空き状態に遷移し、トランザクション識別子を解放することが可能となる。
【００５４】
＜本実施形態の作用・効果＞
このように、本実施形態における開始ノード（100）は、トランザクションを終了する場合に、トランザクション開始（応答待ち）状態からトランザクション終了（応答待ち）状態に遷移し、トランザクション識別子を解放せずにそのまま保持する。そして、対向ノード（200）からTCAP応答信号を受信した場合に、トランザクション終了（応答待ち）状態からトランザクション空き状態に遷移し、トランザクション識別子を解放するように制御する。これにより、開始ノード（100）は、ネットワーク（300）上で遅延したTCAP応答信号を受信した場合に、そのTCAP応答信号に対するトランザクション識別子を正しく認識し、そのTCAP応答信号に対する処理動作を行うことが可能となる。その結果、トランザクションを終了した場合でも、そのトランザクションに対する処理を行うことが可能となる。
【００５５】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００５６】
例えば、上述した本実施形態における通信システムを構成する各装置における制御動作は、ハードウェア、または、ソフトウェア、あるいは、両者の複合構成を用いて実行することも可能である。
【００５７】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータにプログラムをインストールして実行させることが可能である。
【００５８】
例えば、プログラムは、記録媒体としてのハードディスクやROM（Read Only Memory）に予め記録しておくことが可能である。あるいは、プログラムは、リムーバブル記録媒体に、一時的、あるいは、永続的に格納（記録）しておくことが可能である。このようなリムーバブル記録媒体は、いわゆるパッケージソフトウエアとして提供することが可能である。なお、リムーバブル記録媒体としては、フロッピー（登録商標）ディスク、CD-ROM（Compact Disc Read Only Memory）、MO（Magneto optical）ディスク、DVD（Digital Versatile Disc）、磁気ディスク、半導体メモリなどが挙げられる。
【００５９】
なお、プログラムは、上述したようなリムーバブル記録媒体からコンピュータにインストールすることになる。また、ダウンロードサイトから、コンピュータに無線転送することになる。また、ネットワークを介して、コンピュータに有線で転送することになる。
【００６０】
また、本実施形態における通信システムは、上記実施形態で説明した処理動作に従って時系列的に実行されるのみならず、処理を実行する装置の処理能力、あるいは、必要に応じて並列的にあるいは個別に実行するように構築することも可能である。
【産業上の利用可能性】
【００６１】
本発明は、トランザクション識別子を即座に再利用しないように制御する技術に適用可能である。
【図面の簡単な説明】
【００６２】
【図１】本実施形態の通信システムのシステム構成例を示す図である。
【図２】本実施形態の通信システムを構成する開始ノード（100）の内部構成例を示す図である。
【図３】本実施形態の通信システムにおける一連の処理動作例を示す第１のシーケンスチャートである。
【図４】本実施形態の通信システムにおける一連の処理動作例を示す第２のシーケンスチャートである。
【図５】トランザクション状態制御部（22）における処理動作例を示す第１のフロチャートである。
【図６】トランザクション状態制御部（22）における処理動作例を示す第２のフロチャートである。
【図７】本発明と関連する通信システムのシステム構成例を示す図である。
【符号の説明】
【００６３】
１００    トランザクション開始ノード（開始ノード）
２００    トランザクション対向ノード（対向ノード）
３００    ネットワーク
１    上位APL部
２    TCAPユーザ部
２１    APLデータ送受信制御部
２２    トランザクション状態制御部
２３    TCAP信号制御部
３    TCAP部
【図１】
2009169509.tif 000003
【図２】
2009169509.tif 000004
【図３】
2009169509.tif 000005
【図４】
2009169509.tif 000006
【図５】
2009169509.tif 000007
【図６】
2009169509.tif 000008
【図７】
2009169509.tif 000009